(57)【特許請求の範囲】
【請求項１】
ＬＣ形アダプタに嵌合されるＬＣ形プラグであって、
嵌合時に前記アダプタの開口部の縁部に突起部が当接することで該突起部を外周部に一体に形成しているフロントハウジングがスプリングの付勢力に抗して後方移動せしめられ、それにより前記フロントハウジングを移動自在に内側で支持するプラグフレームに内包されたフェルールの先端部が前記フロントハウジングの開口部から外部に突出するＬＣ形プラグにおいて、
前記フロントハウジングを常に前方に付勢するように係止用ハウジングに反力を取るスプリングは、前記フロントハウジングに設けられた前記スプリング前部用の収納空間部と、前記係止用ハウジングに設けられた前記スプリング後部用の収納空間部とが、その互いの接合部側において重畳する当該両収納空間部に収納され、且つ、前記プラグの前記アダプタに対する未接続時においても外部に露出しないように、前記両収納空間部に収納されており、
前記係止用ハウジングにおける収納空間部の前方側に、該収納空間部の上に延設されたアダプタ用係止片のラッチ高さ及び係止位置を既設のＬＣ形プラグに対して変更せずに、当該アダプタ用係止片の下側のラッチ形状を既設のＬＣ形プラグに対して薄肉にすることで、前記係止用ハウジングの収納空間部の前方側で上面高さ方向に肉増しして、前記フロントハウジングの収納空間部を形成するガイド部の接合部側端部を内包する、ガイド部用収納部が形成されていること、
を特徴とするシャッター付きＬＣ形プラグ。
【請求項２】
ＬＣ形アダプタに嵌合されるＬＣ形プラグの製造方法であって、
嵌合時に前記アダプタの開口部の縁部に突起部が当接することで該突起部を外周部に一体に形成しているフロントハウジングがスプリングの付勢力に抗して後方移動せしめられ、それにより前記フロントハウジングを移動自在に内側で支持するプラグフレームに内包されたフェルールの先端部が前記フロントハウジングの開口部から外部に突出するＬＣ形プラグであり、
前記フロントハウジングを常に前方に付勢するように係止用ハウジングに反力を取るスプリングが、前記フロントハウジングに設けられた前記スプリング前部用の収納空間部と、前記係止用ハウジングに設けられた前記スプリング後部用の収納空間部とでその互いの接合部側において重畳させることで、前記プラグの前記アダプタに対する未接続時においても外部に露出しないように前記両収納空間部に収納すべく、
前記係止用ハウジングにおける収納空間部の前方側に、該収納空間部の上に延設されたアダプタ用係止片のラッチ高さ及び係止位置を既設のＬＣ形プラグに対して変更せずに、当該アダプタ用係止片の下側のラッチ形状を既設のＬＣ形プラグに対して薄肉にすることで、前記係止用ハウジングの収納空間部の前方側で上面高さ方向に肉増しして、前記フロントハウジングの収納空間部を形成するガイド部の接合部側端部を内包する、ガイド部用収納部が形成されていること、
を特徴とするシャッター付きＬＣ形プラグの製造方法。
【発明の詳細な説明】
【技術分野】
【０００１】
本発明は、光ファイバケーブルの接続用端部に使用されるシャッター付きＬＣ形プラグに関するものである。
【背景技術】
【０００２】
従来、ＬＣ形プラグは、図８（Ａ），（Ｂ）乃至図１１に示すように、フェルール１６と該フェルール１６を前方に付勢する弾性部材１７とを内包する筒状のプラグフレーム１８と、当該プラグフレーム１８の外側に摺接自在に囲繞される筒状のフロント（可動）ハウジング１９と、該フロント（可動）ハウジング１９を常に前方に付勢するように係止ハウジング２０に反力を取る細長いスプリング２１と、前記フロントハウジング１９の前方の内壁に一端部が固定され前記フェルール１６の前位置で遮光する湾曲した遮光プレート(シャッター)２２と、前記プラグフレーム１８の後方から嵌合される係止ハウジング２０と、からなるＬＣ形プラグ１５が知られている。
【０００３】
前記ＬＣ形プラグ１５により、未接続時には前記フロントハウジング１９がスプリング２１で前方に付勢され、当該フロントハウジング１９に固定されている前記遮光プレート２２が、フェルール１６からのレーザーを遮断して目等を保護し、接続時には前記スプリング２１の付勢力に抗して後退移動させられたフロントハウジング１９によって、前記遮光プレート２２が、前記プラグフレーム１８の開口部に当接して、湾曲状態から直線状態に延ばされる。これにより、フェルール１６が、後方に移動された前記フロントハウジング１９の開口端部から突出し、当該ＬＣ形プラグ１５側のフェルール１６と、接続相方のＬＣ形アダプタ２４（図１−Ｂ参照）におけるフェルールとが接続される（特許文献１参照）。
【先行技術文献】
【特許文献】
【０００４】
【特許文献１】特開２０１１−１３６０６号公報
【発明の概要】
【発明が解決しようとする課題】
【０００５】
しかし、従来のシャッター付きＬＣ形プラグ１５においては、図１１に示すように、前記フロントハウジング１９を常に前方に付勢する細長いスプリング２１の両端部を除く一部が、外部に露出している。従って、操作中の破損や、長期使用による腐食等の虞がある。更に、細長いスプリング２１の座屈を防止するピン２１ａがあり、部品点数が増えて組み立て工数も増加するという課題がある。本発明に係るシャッター付きＬＣ形プラグは、このような課題を解決するために提案されたものである。
【課題を解決するための手段】
【０００６】
本発明に係るシャッター付きＬＣ形プラグの上記課題を解決して目的を達成するための要旨は、 ＬＣ形アダプタに嵌合されるＬＣ形プラグであって、
嵌合時に前記アダプタの開口部の縁部に突起部が当接することで該突起部を外周部に一体に形成しているフロントハウジングがスプリングの付勢力に抗して後方移動せしめられ、それにより前記フロントハウジングを移動自在に内側で支持するプラグフレームに内包されたフェルールの先端部が前記フロントハウジングの開口部から外部に突出するＬＣ形プラグにおいて、
前記フロントハウジングを常に前方に付勢するように係止用ハウジングに反力を取るスプリングは、前記フロントハウジングに設けられた前記スプリング前部用の収納空間部と、前記係止用ハウジングに設けられた前記スプリング後部用の収納空間部とが、その互いの接合部側において重畳する当該両収納空間部に収納され、且つ、前記プラグの前記アダプタに対する未接続時においても外部に露出しないように、前記両収納空間部に収納されており、
前記係止用ハウジングにおける収納空間部の前方側に、該収納空間部の上に延設されたアダプタ用係止片のラッチ高さ及び係止位置を既設のＬＣ形プラグに対して変更せずに、当該アダプタ用係止片の下側のラッチ形状を既設のＬＣ形プラグに対して薄肉にすることで、前記係止用ハウジングの収納空間部の前方側で上面高さ方向に肉増しして、前記フロントハウジングの収納空間部を形成するガイド部の接合部側端部を内包する、ガイド部用収納部が形成されていることである。
【０００７】
本発明に係るシャッター付きＬＣ形プラグの製造方法の上記課題を解決して目的を達成するための要旨は、ＬＣ形アダプタに嵌合されるＬＣ形プラグの製造方法であって、嵌合時に前記アダプタの開口部の縁部に突起部が当接することで該突起部を外周部に一体に形成しているフロントハウジングがスプリングの付勢力に抗して後方移動せしめられ、それにより前記フロントハウジングを移動自在に内側で支持するプラグフレームに内包されたフェルールの先端部が前記フロントハウジングの開口部から外部に突出するＬＣ形プラグであり、
前記フロントハウジングを常に前方に付勢するように係止用ハウジングに反力を取るスプリングが、前記フロントハウジングに設けられた前記スプリング前部用の収納空間部と、前記係止用ハウジングに設けられた前記スプリング後部用の収納空間部とでその互いの接合部側において重畳させることで、前記プラグの前記アダプタに対する未接続時においても外部に露出しないように前記両収納空間部に収納すべく、
前記係止用ハウジングにおける収納空間部の前方側に、該収納空間部の上に延設されたアダプタ用係止片のラッチ高さ及び係止位置を既設のＬＣ形プラグに対して変更せずに、当該アダプタ用係止片の下側のラッチ形状を既設のＬＣ形プラグに対して薄肉にすることで、前記係止用ハウジングの収納空間部の前方側で上面高さ方向に肉増しして、前記フロントハウジングの収納空間部を形成するガイド部の接合部側端部を内包する、ガイド部用収納部が形成されていることである。
【発明の効果】
【０００８】
本発明のシャッター付きＬＣ形プラグとその製造方法によれば、フロントハウジングを前方に付勢するスプリングが、前記フロントハウジングと係止ハウジングとの収納空間部に収納され、外部に露出しない様に収納されたので、操作中の破損が無く、腐食のおそれも無い。更に、座屈防止用のガイドピンが不要となって部品点数が減り製作・組立コストが低減されると言う優れた効果を奏するものである。
【図面の簡単な説明】
【０００９】
【図１−Ａ】本発明に係るシャッター付きＬＣ形プラグ１の未接続状態の斜視図（Ａ）、接続状態の斜視図（Ｂ）である。
【図１−Ｂ】シャッター付きＬＣ形プラグ１とＬＣ形アダプタ２４との接続・嵌合を示す説明図（Ａ），（Ｂ）である。
【図２】同本発明のシャッター付きＬＣ形プラグ１の平面図（Ａ）、正面図（Ｂ）、側面図（Ｃ）、背面図（Ｄ）、底面図（Ｅ）である。
【図３】同本発明に係るシャッター付きＬＣ形プラグ１における未接続状態の側断面図である。
【図４】同本発明に係るシャッター付きＬＣ形プラグ１における接続状態の側断面図である。
【図５−Ａ】同シャッター付きＬＣ形プラグ１におけるフロントハウジング２の前方から見た斜視図（Ａ）、後方から見た斜視図（Ｂ）、正面図（Ｃ）、背面図（Ｄ）、側断面図（Ｅ）である。
【図５−Ｂ】従来例のシャッター付きＬＣ形プラグ１５のフロントハウジング１９と、本発明に係るシャッター付きＬＣ形プラグ１のフロントハウジングとを比較した側面図（Ａ）、同じく側断面図（Ｂ）である。
【図６−Ａ】シャッター付きＬＣ形プラグ１における係止ハウジング３の前方から見た斜視図（Ａ）、後方から見た斜視図（Ｂ）、正面図（Ｃ）、背面図（Ｄ）、側断面図（Ｅ）である。
【図６−Ｂ】従来例のシャッター付きＬＣ形プラグ１５の係止ハウジング２０と、本発明に係るシャッター付きＬＣ形プラグ１の係止ハウジングとを比較した側面図（Ａ）、同じく側断面図（Ｂ）である。
【図７】本発明に係るシャッター付きＬＣ形プラグ１における、プラグフレーム４の斜視図（Ａ）、同側断面図（Ｂ）、シャッター２２の斜視図（Ｃ）、フェルール付勢用のスプリングの斜視図（Ｄ）、フロントハウジング付勢用のスプリング２１の斜視図（Ｅ）である。
【図８】従来例に係るシャッター付きＬＣ形プラグ１５の前方から見た斜視図（Ａ）、後方から見た斜視図（Ｂ）である。
【図９】同従来例に係るシャッター付きＬＣ形プラグ１５における、フロントハウジング１９の斜視図（Ａ）、平面図（Ｂ）、正面図（Ｃ）、背面図（Ｄ）、側断面図（Ｅ）である。
【図１０】従来例に係るシャッター付きＬＣ形プラグ１５における、フロントハウジング可動用のスプリング２１と、その座屈防止用のピン２１ａの使用状態斜視図である。
【図１１】同従来例に係るシャッター付きＬＣ形プラグ１５の側断面図である。
【発明を実施するための形態】
【００１０】
本発明に係るシャッター付きＬＣ形プラグ１は、図１−Ａ、図３に示すように、フロントハウジング付勢用のスプリング２１の全部が、フロントハウジング２側の収納空間部２ｃと、係止ハウジング３側の収納空間部３ａに隠れて、外部に露出しないことである。
【実施例１】
【００１１】
本発明に係るシャッター付きＬＣ形プラグ１は、図１−Ａ、図１−Ｂに示すように、接続相手のＬＣ形アダプタ２４に嵌合されるものである。図１−Ｂ、図２、図３に示すように、ＬＣ形アダプタ２４への嵌合時に、前記アダプタ２４の開口部の縁部に、フロントハウジング２の突起部２ｂが当接することで、該突起部２ｂを外周部に一体に形成しているフロントハウジング２が、スプリング２１の付勢力に抗して後方移動せしめられる。
【００１２】
それにより、図４に示すように、前記フロントハウジング２を移動自在に内側で支持するプラグフレーム４に内包されたフェルール１６の先端部が、前記フロントハウジング２の開口部２ｄから外部に突出するものである。
【００１３】
本発明に係るシャッター付きＬＣ形プラグ１は、前記フロントハウジング２を常に前方に付勢するように、係止ハウジング３の収納空間部３ａの壁面に反力を取るスプリング２１がある。
【００１４】
図３、図５−Ａ、図６−Ａに示すように、前記フロントハウジング２に設けられた前記スプリング前部用の収納空間部２ｃと、前記係止用ハウジング３に設けられた前記スプリング後部用の収納空間部３ａとが、未接続状態において、その互いの接合部側において重畳して設けられている。
【００１５】
そして、前記両収納空間部２ｃ，３ａに収納されることで、このＬＣ形プラグ１の未接続時においても当該スプリング２１が外部に露出しないように収納される。
【００１６】
各部品について説明すると、前記フロントハウジング２は、図５−Ａ（Ａ）〜（Ｅ）に示すように、四角形状の筒体であり、このフロントハウジング２の前方からＬＣ形アダプタ２４に挿着される。また、後方の開口部は、図３乃至図４に示すように、係止用ハウジング３の嵌合部３ｆに嵌合されているプラグフレーム４の外側に被せて挿着され、該プラグフレーム４によって、当該フロントハウジング２が摺動自在に支持されている。
【００１７】
前記フロントハウジング２の上部には、嵌合時の位置決めとなるガイド部２ａが形成され、その側壁に突起部２ｂが形成されている。前記突起部２ｂがＬＣ形アダプタ２４の開口縁部に当接して、フロントハウジング２が後方に移動される。また、フロントハウジング２の筒体の下部には、フロントハウジング２の後退の位置決めとなる位置決め突起２ｅが設けられている。
【００１８】
前記ガイド部２ａは、図５−Ａ（Ｅ）に示すように、後方に延設され、その内部は、スプリング２１を収納するための収納空間部２ｃとして形成されている。これを、図５−Ｂ（Ａ），（Ｂ）に示すように、従来例のフロントハウジング１９と比較してみると、ガイド部１９ａは後方へ短くして形成され、本発明に係るフロントハウジング２のガイド部２ａは後方に長く形成されている。よって、従来では、前記スプリング２１の前端部がガイド部１９ｂの収納空間部１９ａに収納されているが、他は外部に露出している。
【００１９】
前記係止用ハウジング３は、図６−Ａ（Ａ）〜（Ｅ）に示すように、四角形状の筒体の上部にスプリング２１用の収納空間部３ａが設けられ、更に前方にフロントハウジング２
のガイド部２ａの後端部を収納するガイド部用収納部３ｂが設けられている。
【００２０】
前記収納空間部３ａの上に延設してツマミ部３ｇとＬＣ形アダプタ２４に係止するアダプタ用係止片３ｃが形成されている。筒体から前方に突出しているのはプラグフレーム４（図７参照）を接続するためのプラグフレーム嵌合部３ｆであり、その外側周囲にフロントハウジング用収納部３ｄが形成されている。
【００２１】
前記係止用ハウジング３と従来の係止用ハウジング２０とにおいて、図６−Ｂ（Ａ），（Ｂ）に示すように、収納空間部３ａ、ガイド部用収納部３ｂ及びアダプタ用係止片３ｃと収納空間部２０ａ、アダプタ用係止片２０ｂとを比較すると、従来の係止用ハウジング２０では、フロントハウジング１９のガイド部１９ｂを延長させた場合にこれを収納するための収納部が無かった。
【００２２】
それに対して、本発明に係る係止用ハウジング３では、アダプタ用係止片３ｃにおけるラッチ高さおよび係止位置を変更しないで、下側のラッチ形状を変更して、係止用ハウジング３の上面高さ方向に肉増しを行い、収納空間部３ａを設けるとともに前方側にガイド部用収納部３ｂを形成することができたのである。
【００２３】
前記プラグフレーム４は、図７（Ａ），（Ｂ）に示すように、四角形状の筒体であって、前記係止用ハウジング３のプラグフレーム嵌合部３ｆに差し込まれて嵌合され、側壁に設けた係止孔４ｂがプラグフレーム用突起部３ｈに係止され、このプラグフレーム４の前方への抜け出しが阻止される。
【００２４】
前記プラグフレーム４の筒体の内部には、係合部４ａが形成されており、後方開口部から挿入されるフェルール１６の仕切り壁となり、前方への抜け止めとなるものである。
また、図７（Ｃ）にシャッター２２の斜視図と、同図（Ｄ）にフェルール用スプリング１７の斜視図と、同図（Ｅ）にフロントハウジング用スプリング２１の斜視図とをそれぞれ示す。
【００２５】
以上の様にして、本発明に係るシャッター付きＬＣ形プラグ１においては、前記フロントハウジング２の収納空間部２ｃと、前記係止用ハウジング３に設けられた前記スプリング後部用の収納空間部３ａとが、スプリング２１の全部を収納するとともに、図３に示すように、未接続状態において、ガイド部用収納部３ｂにガイド部２ａの接合部側端部（後端部）が内包されて、その互いの接合部側において重畳して設けられているので、前記スプリング２１が完全に収納空間部の中に収納されて外部からは見えない様になっている。これにより、スプリング２１の腐食などが防止されるものである。
【００２６】
更に、前記両収納空間部２ｃ，３ａにおいては、前記細長いスプリング２１の座屈防止用としての、ピン２１ａが存在しない。これに対して、従来例に係るシャッター付きＬＣ形プラグ１５においては、前記ピン２１ａが必要で有り、組立部品となっていて、部品点数が増えていた。
【００２７】
このように、本発明に係るシャッター付きＬＣ形プラグ１では、前記ピン２１ａが不要であって、前記フロントハウジング２の収納空間部２ｃにスプリング２１に入れて、係止ハウジング３に当該フロントハウジング２を嵌合させて組み立てれば良い。これにより、部品点数が削減され、組立コストも低減されるものである。
【産業上の利用可能性】
【００２８】
本発明に係るシャッター付きＬＣ形プラグ１は、既存のＬＣ形アダプタ及びＬＣの開口部形状を持った光製品（光トランシーバ等）に広く適用できるものである。
【符号の説明】
【００２９】
１          シャッター付きＬＣ形プラグ、
２          フロントハウジング、              ２ａ      ガイド部、
２ｂ        突起部、                          ２ｃ      収納空間部、
２ｄ        開口部、                          ２ｅ      位置決め突起、
３          係止用ハウジング、                ３ａ      収納空間部、
３ｂ        ガイド部用収納部、                ３ｃ      アダプタ用係止片、
３ｄ        フロントハウジング用収納部、      ３ｆ      プラグフレーム嵌合部、
３ｇ        ツマミ部、                        
３ｈ        プラグフレーム用突起部、
３ｊ        フロントハウジング用係止片、          
４          プラグフレーム、                  ４ａ      係合部、
４ｂ        係止孔、
１５        従来例に係るシャッター付きＬＣ形プラグ、
１６        フェルール、
１７        フェルール用スプリング、
１８        プラグフレーム、
１９        フロントハウジング、              １９ａ    収納空間部、
１９ｂ      ガイド部、
２０        係止ハウジング、                  ２０ａ    収納空間部、
２０ｂ      アダプタ用係止片、                ２０ｃ    プラグフレーム嵌合部、
２１        フロントハウジング用スプリング、
２１ａ      ピン、
２２        遮光プレート（シャッター）、
２３        ブーツ、
２３ａ      カシメリング、
２４        ＬＣ形アダプタ。
【図１−Ａ】
0005988046.tif 000002
【図１−Ｂ】
0005988046.tif 000003
【図２】
0005988046.tif 000004
【図３】
0005988046.tif 000005
【図４】
0005988046.tif 000006
【図５−Ａ】
0005988046.tif 000007
【図５−Ｂ】
0005988046.tif 000008
【図６−Ａ】
0005988046.tif 000009
【図６−Ｂ】
0005988046.tif 000010
【図７】
0005988046.tif 000011
【図８】
0005988046.tif 000012
【図９】
0005988046.tif 000013
【図１０】
0005988046.tif 000014
【図１１】
0005988046.tif 000015